(57)【要約】【課題】光学式ピックアップによってディスクに信号を記録することが出来る光ディスク記録再生装置の記録制御方法を提供する。【解決手段】ディスクより得られる同期信号と記録用の同期信号とを同期させることによってディスクに信号を記録するように構成された光ディスク記録再生装置において、追記動作を行うときディスクより得られるディスクアドレスとデータアドレスとのずれを検出し、データアドレスがディスクアドレスより先行している場合にディスクの回転速度を増加させて記録動作を開始させるように構成されている。【選択図】    図１
2004185655.tif 000002
【特許請求の範囲】
【請求項１】
ディスクより得られる同期信号と記録用の同期信号とを同期させることによってディスクに信号を記録するように構成された光ディスク記録再生装置において、追記動作を行うときディスクより得られるディスクアドレスとデータアドレスとのずれを検出し、データアドレスがディスクアドレスより先行している場合にディスクの回転速度を増加させて記録動作を開始させるようにしたことを特徴とする光ディスク記録再生装置の記録制御方法。
【請求項２】
記録動作再開後ディスクの回転速度を徐々に低下させるようにしたことを特徴とする請求項１に記載の記録制御方法。
【請求項３】
ディスクアドレスとデータアドレスとのずれが無くなったときディスクの回転速度を所定の速度に変更するようにしたことを特徴とする請求項２に記載の記録制御方法。
【発明の詳細な説明】
【０００１】
【発明の属する技術分野】
本発明は、光学式ピックアップに組み込まれているレーザー素子より照射される光ビームによってディスクに信号を記録するように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
記録用ディスクには、プリグルーブと呼ばれる溝が設けられており、このプリグルーブより得られるウォブル信号を復調することによって時間情報、即ちディスクアドレスが得られる。このプリグルーブより得られるウォブル信号によって記録されている時間情報は、ＡＴＩＰ（Ａｂｓｏｌｕｔｅ  Ｔｉｍｅ  Ｉｎ  Ｐｒｅｇｒｏｏｖｅ）と呼ばれている。そして、ＣＤと呼ばれるディスクにおける時間情報は、分、秒及びフレームにて構成されており、フレーム数は７５に設定されている。
【０００４】
光ディスク記録再生装置における記録動作は、ディスクより得られるＡＴＩＰであるディスクアドレスと記録信号であるデータに付加されるデータアドレスとが一致するように行われる（例えば、特許文献１参照。）。
【０００５】
【特許文献１】
特開平１０−２８９５２７号公報
【０００６】
【発明が解決しようとする課題】
光ディスク記録再生装置における記録動作は、スピンドルモーターによって線速度が一定になるように回転制御されているディスクに対して周知のように行われるが、正常な状態における記録動作は、図２に示すように行われる。
【０００７】
同図における（Ａ）は、ディスクに設けられているＡＴＩＰ情報を表すものであり、各フレームに対応して同期信号（Ａ１、Ａ２〜Ａ６…）が記録されている。これに対し、（Ｂ）は記録する信号であるデータに付加されるデータアドレス、即ち分、秒及びフレームより構成されるデータアドレスの各フレーム対応して生成されてディスクに記録される同期信号であり、Ｂ１、Ｂ２〜Ｂ６…のようにＡＴＩＰ情報の同期信号に対応させ生成記録される。
【０００８】
正常な記録動作が行われている状態では、図２に示すようにディスクアドレスの同期信号（Ａ１、Ａ２〜Ａ６…）とデータアドレスの同期信号（Ｂ１、Ｂ２〜Ｂ６…）とは、完全に同期した状態で記録動作が行われる。
【０００９】
正常な記録動作を行っている状態において、ディスクの偏心量が大きい場合には、ディスクの回転特性に悪影響を与えるため、スピンドルモーターのサーボ回路がその影響を補正するための制御動作を行うことになる。しかしながら、斯かる制御動作を行うとき、スピンドルモーターの回転トルク不足が原因でディスクの回転速度が正常な回転速度になるまでに時間を要することがある。
【００１０】
図３の（Ａ）は、ディスクに設けられているＡＴＩＰ情報を表すものであり、各フレームに対応して同期信号（Ａ１、Ａ２〜Ａ５…）が記録されているが、その間隔は図２と比較して長くなっている。
【００１１】
一方図３の（Ｂ）は、データアドレスに含まれる同期信号であり、Ｂ１、Ｂ２〜Ｂ５…のようにＡＴＩＰ情報の同期信号に対応させ生成記録されるが、その間隔は図２と同一である。
【００１２】
斯かる状態のままで、記録信号であるデータはディスクにデータアドレスを付加しながら記録されることになる。フレーム同期信号がＢ５のところで、データの記録動作が終了したとすると、図３の（Ａ）において、同期信号Ａ４のフレームの位置まで、即ち同期信号Ａ５の直前の位置までは、データアドレスの同期信号Ｂ５が付加されているデータが記録されることになる。従って、この場合には、図３の（Ａ）において、同期信号Ａ５が記録されている領域には、データアドレス及びデータは記録されないことになる。
【００１３】
また、記録用のディスクの内周側には、ディスクに記録されている信号の情報を記録終了時に記録する記録情報管理領域が設けられており、前述した記録動作終了時には、データアドレスの同期信号Ｂ５が記録された位置情報が前記記録情報管理領域に記録されることになる。このような信号が記録されたディスクを使用して記録動作、即ち追記動作を行う場合には、前記記録情報管理領域に記録されている情報を利用して追記動作を行う位置を認識し、その認識された位置に光学式ピックアップを移動させてデータ信号の記録動作を行うように構成されている。
【００１４】
図３に示した例では、データアドレスの同期信号Ｂ５が記録されている位置の次にデータアドレスの同期信号Ｂ６のデータアドレスを記録信号であるデータに付加して記録動作が行われることになる。そして、その追記動作が開始される位置のディスクアドレスの同期信号はＡ５となるため、ディスクアドレスとデータアドレスとがずれた状態で記録動作が行われるという問題がある。
【００１５】
本発明は、斯かる問題を解決することが出来る記録制御方法を提供しようとするものである。
【００１６】
【作用】
本発明は、ディスクより得られる同期信号と記録用の同期信号とを同期させることによってディスクに信号を記録するように構成された光ディスク記録再生装置において、追記動作を行うときディスクより得られるディスクアドレスとデータアドレスとのずれを検出し、データアドレスがディスクアドレスより先行している場合にディスクの回転速度を増加させて記録動作を開始させるように構成されている。
【００１７】
【実施例】
図１は本発明に係る光ディスク記録再生装置の一実施例を示すブロック回路図である。図１において、１はスピンドルモーター２によって回転駆動されるターンテーブル３に載置されるディスクであり、該ターンテーブル３の回転により回転駆動されるように構成されている。また、前記ディスク１には、位置情報データがプリグルーブと呼ばれる溝によって記録されており、この溝より得られるウォブル信号に基づいて信号の記録再生動作が行われるように構成されている。
【００１８】
４はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１９】
５は前記光学式ピックアップ４に組み込まれている光検出器から得られるＲＦ信号を増幅するとともに波形整形する信号増幅回路、６は前記信号増幅回路５より出力される信号が入力されるＡＴＩＰデコーダ、７は前記ＡＴＩＰデコーダ６にて復調された信号入力されるディスクアドレス検出回路であり、復調された信号から分、秒及びフレーム番号より成るディスクアドレスを抽出する作用を有している。
【００２０】
８は前記信号増幅回路５より出力される信号が入力されるＥＭＦデコーダ、９は前記ＥＦＭデコーダ８にて復調された信号入力されるデータアドレス検出回路であり、復調された信号から分、秒及びフレーム番号より成るデータアドレスを抽出する作用を有している。１０は前記ディスクアドレス検出回路７にて検出されたディスクアドレスとデータアドレス検出回路９にて検出されたデータアドレスとのずれを検出するアドレス差検出回路である。
【００２１】
１１は光ディスク記録再生装置の各種の動作を制御するシステム制御回路、１２は前記システム制御回路１１の制御動作によって記録信号入力端子１３より入力されるデータ信号に付加するデータアドレス信号、即ち分、秒及びフレーム番号を生成するディスクアドレス生成回路である。
【００２２】
１４は前記記録信号入力端子１３より入力されるデータ信号に前記システム制御回路１１の制御動作によって各種のデジタル信号処理を行うエンコーダであり、該データ信号に前述したディスクアドレス生成回路１２にて生成されるデータアドレスを付加して記録信号として出力するように構成されている。１５は前記エンコーダ１４より出力される記録信号、即ちデータアドレス信号が付加されているデータ信号が入力されるレーザー駆動回路であり、前記光学式ピックアップ４に組み込まれているレーザー素子に駆動電流を供給する作用を有している。
【００２３】
１６は前記システム制御回路１１によって動作が制御されるスピンドルモーター速度制御回路であり、前記スピンドルモーター２を所望の速度にて回転駆動する作用を有する。
【００２４】
斯かる構成において、本発明は、記録動作を終了するとき、ディスク１に設けられている記録情報管理領域に記録動作を終了した位置を示すデータアドレスを記録するように構成されている。そして、このようにして記録動作が終了したディスクに信号を追記する場合には、前記データアドレスが記録されている位置の次から続きのデータアドレスを付加したデータ信号を記録するようにされているが、斯かる動作を開始するときアドレス差検出回路１０の出力信号に基づいてスピンドルモーター２の回転制御動作を行うように構成されている。
【００２５】
斯かる本発明に係る制御動作について、図３及び図４を参照して説明する。図３に示した状態にて記録動作が終了したディスク１に対する追記動作は、データアドレスの同期信号Ｂ５が記録されている位置のサーチ動作を行い、その次の位置から記録動作が行われることになる。そして、斯かる動作を行うとき、ディスク１から再生される信号が信号増幅回路５に入力されて増幅される。
【００２６】
前記信号増幅回路５によって増幅される信号の中には、ディスク１に記録されたデータアドレス信号だけでなく、プリグルーブより得られるディスクアドレス信号が含まれている。前記データアドレスは、ＥＦＭデコーダ８にてデコードされた後データアドレス検出回路９によって検出される。同様に前記ディスクアドレスは、ＡＴＩＰデコーダ６にてデコードされた後ディスクアドレス検出回路７によって検出される。
【００２７】
このようにして検出されたデータアドレスとディスクアドレスとがアドレス差検出回路１０に入力される結果、該アドレス差検出回路１０によるデータアドレスとディスクアドレスとのずれが検出され、その出力信号がシステム制御回路１１に入力される。そして、このような信号がシステム制御回路１１に入力されると、該システム制御回路１１によるスピンドルモーター速度制御回路１６に対する制御動作が後述するように行われる。
【００２８】
図３に示した状態にて記録動作が終了したディスク１に対する追記動作は、前述したように行われるが、ディスクアドレスとデータアドレスとがずれた状態で記録動作が開始される。図４は斯かる記録動作が開始された状態を示すものであり、図示したようにディスクアドレスの同期信号Ａ５とデータアドレスの同期信号Ｂ６の位置がずれた状態で記録動作が開始されることになる。
【００２９】
本発明は、斯かる状態、即ちディスクアドレスとデータアドレスとがずれた状態で記録動作が開始された場合には、アドレス差検出回路１０の検出信号に基づくシステム制御回路１１による制御動作が行われる。斯かる制御動作は、スピンドルモーター速度制御回路１６によってスピンドルモーター２の回転速度、即ちディスク１の回転速度を増加させることによって行われる。
【００３０】
図４の（Ａ）に示す同期信号Ａ５とＡ６間、Ａ６とＡ７間、Ａ７とＡ８間の間隔が前記スピンドルモーター２の回転速度の増加によって狭くなっている。斯かる動作が行われている間にデータアドレスの同期信号Ｂ６及びＢ７が記録されることになる。そして、ディスクアドレスの同期信号Ａ８の位置でデータアドレスの同期信号Ｂ８との間のずれが無くなる。
【００３１】
斯かる状態になると、アドレス差検出回路１０より出力される信号によってシステム制御回路１１がデータアドレスとディスクアドレスとの間のずれが無くなったと認識するため、スピンドルモーター２の回転速度を所定の速度にするための制御動作が行われる。その結果、それ以後の記録動作は、データアドレスとディスクアドレスとが同期した状態で行われることになる。このようにデータアドレスとディスクアドレスとがずれた状態で追記動作が開始されても、ずれをなくした状態、即ちデータアドレスとディスクアドレスとが一致した記録動作を行う状態に復帰させることが出来る。
【００３２】
追記動作を開始するとき、データアドレスとディスクアドレスとのずれの大きさに応じてスピンドルモーター２の回転速度を増加させるが記録動作を行っている状態において、データアドレスとディスクアドレスとのずれの大きさが小さくなるに従ってスピンドルモーターの回転速度を徐々に低下させるように構成すれば、データアドレスとディスクアドレスとを一致させる制御動作を正確に行うことが出来る。
【００３３】
【発明の効果】
本発明は、ディスクより得られる同期信号と記録用の同期信号とを同期させることによってディスクに信号を記録するように構成された光ディスク記録再生装置において、追記動作を行うときディスクより得られるディスクアドレスとデータアドレスとのずれを検出し、データアドレスがディスクアドレスより先行している場合にディスクの回転速度を増加させて記録動作を開始させるようにしたので、データアドレスとディスクアドレスとがずれた状態で記録動作が終了したディスクへの追記動作を行う場合にデータアドレスとディスクアドレスとのずれを補正することが出来る。
【００３４】
また、本発明は、記録動作再開後ディスクの回転速度を徐々に低下させるようにしたので、データアドレスとディスクアドレスとのずれを補正して該データアドレスとディスクアドレスとを一致させる制御動作を正確に行うことが出来る。
【００３５】
そして、本発明は、ディスクアドレスとデータアドレスとのずれが無くなったときディスクの回転速度を所定の速度に変更するようにしたので、それ以後の記録動作を最適な状態にて行うことが出来る。
【図面の簡単な説明】
【図１】本発明に係る光ディスク記録再生装置の一実施例を示すブロック回路図である。
【図２】本発明の動作を説明するための説明図である。
【図３】本発明の動作を説明するための説明図である。
【図４】本発明の動作を説明するための説明図である。
【符号の説明】
１        ディスク
２        スピンドルモーター
４        光学式ピックアップ
５        信号増幅回路
６        ＡＴＩＰデコーダ
７        ディスクアドレス検出回路
８        ＥＦＭデコーダ
９        データアドレス検出回路
１０        アドレス差検出回路
１１        システム制御回路
１２        ディスクアドレス生成回路
１４        エンコーダ
１６        スピンドルモーター速度制御回路
【図１】
2004185655.tif 000003
【図２】
2004185655.tif 000004
【図３】
2004185655.tif 000005
【図４】
2004185655.tif 000006